(57)【要約】【課題】所望のクリーニング性能を確保しつつ、画像形成装置の長寿命化を図ることができるクリーニング装置を提供することにある。【解決手段】引張応力が異方性のある弾性体で構成されたクリーニングブレード１９を用いたクリーニング装置において、前記クリーニングブレード１９が中間転写体（被クリーニング部材）４との摺擦で受ける負荷とその負荷の方向に対する見掛けの引張応力から見積もられる変形量を、クリーニングブレード１９の中間転写体４への当接部近傍の切断時伸びより小さく設定する。【選択図】図２
2005292324.tif 000002
【特許請求の範囲】
【請求項１】
引張応力が異方性のある弾性体で構成されたクリーニングブレードを用いたクリーニング装置において、
前記クリーニングブレードが被クリーニング部材との摺擦で受ける負荷とその負荷の方向に対する見掛けの引張応力から見積もられる変形量を、クリーニングブレードの被クリーニング部材への当接部近傍の切断時伸びより小さく設定したことを特徴とする画像形成装置のクリーニング装置。
【請求項２】
引張応力が異方性のある板状の弾性体で構成されたクリーニングブレードをカウンター方向に当接せしめ、該クリーニングブレードの長手方向単位長さ当たり当接圧をＮ（Ｎ／ｍ）、被クリーニング部材の接線とクリーニングブレードとの当接角度をθ（°）、板状の弾性体の厚さ方向に対する５％伸張時の引張応力をＥ1（Ｎ／ｍ2）、板状の弾性体の平面方向に対する５％伸張時の引張応力をＥ2（Ｎ／ｍ2）、この設定条件でのクリーニングブレードと被クリーニング部材との摩擦係数をμ、クリーニングブレードと被クリーニング部材との接触面積をＭ（ｍ）、クリーニングブレードの当接部近傍の切断時伸びをＬ（％）としたとき、クリーニングブレードが被クリーニング部材との摺擦で受ける負荷の方向の実効的な引張応力Ｅ’を
１／Ｅ’＝ｓｉｎ2θ／Ｅ1＋ｃｏｓ2θ／Ｅ2
とし、
（μＮ／Ｍ）／Ｅ’＜Ｌ／１００
を満たすことを特徴とする請求項１記載の画像形成装置のクリーニング装置。
【請求項３】
前記クリーニングブレードの当接部位近傍の材質が、繰り返し伸張による破断が１０００回未満になる伸びをＬ’（％）としたとき、
（μＮ／Ｍ）／Ｅ’＜Ｌ’／１００
を満たすことを特徴とする請求項１又は２記載の画像形成装置のクリーニング装置。
【発明の詳細な説明】
【技術分野】
【０００１】
本発明は、静電複写機、同プリンタ等の電子写真プロセスを用いた画像形成装置のクリーニング装置に関するものである。
【背景技術】
【０００２】
昨今、複写機、プリンタ、ファクシミリ等の出力端末の機能を全て兼ね備えた複合機が市場で広く受け入れられるようになってきている。このようなネットワーク対応の出力端末として電子写真プロセスを用いた画像形成装置が広く受け入れられてきているが、大きな問題の１つとして本体のＤｕｔｙＣｙｃｌｅが挙げられてきている。
【０００３】
ここで、ＤｕｔｙＣｙｃｌｅとは、サービスマンによるメンテニンスなしで本体が正常に稼動し続ける限界枚数のことであるが、このＤｕｔｙＣｙｃｌｅに対する最大の課題となっているものの１つに像担持体の寿命が挙げられている。又、エコロジーの観点から廃棄物を無くす、即ち消耗品を減らすこと、消耗品の寿命を延ばすこと、信頼性を上げることが我々の絶対的課題となってきている。
【０００４】
ところで、従来のアナログ装置からのデジタル化が進み、デジタル機の本体コストはアナログ機と等価若しくはそれ以下に抑えることも課題となってきている。更に、近年では複写機並びにプリンタでは、従来白黒機が主流であったが、オフィスにおいても原稿若しくは出力ファイルのフルカラー化が急増している。従って、コスト的にアナログ等価デジタル機というばかりか、本体コスト並びにランニングコストが白黒等価フルカラープリンタ（白黒プリンタと等価なフルカラープリンタ）が課題となってきている。そのためには、ＴＣＯ（ユーザーから見た全体の必要費用）を画期的に下げることが可能な技術が望まれている。
【０００５】
電子写真プロセス技術を用いた画像形成装置において、白黒プリンタとほぼ等価なコストのエンジンでフルカラープリンタを作るためには、中間転写体を用いて１つの感光体で中間転写体上に４色の画像を重ね合わせる技術が考えられる。更に、中間転写体をベルト走行体とすることによって、プリンタ本体内部のレイアウトの自由度を増し、これによって装置を小型化することが可能となる。従って、白黒プリンタ等では感光体のみが像担持体であったのに対して、フルカラープリンタでは中間転写体も像担持体となり、画像形成される多様な像担持体上を繰り返し使用するための表面をクリーニングする対象が広がっている。
【０００６】
ところで、像担持体表面をクリーニングするクリーニング手段としては、ゴム等の弾性材料から成るクリーニングブレードのエッジを像担持体表面に当接させてクリーニングする方法が採用されている。
【０００７】
図２は中間転写体をクリーニングするための公知のクリーニング装置の一例を示すもので、紙面に垂直方向に軸線を有するベルト状の中間転写ベルトにクリーニング装置が近接配置されている。尚、図示しないが、中間転写ベルトの周辺には感光体と２次転写ローラが配設されている。
【０００８】
ここで、クリーニング装置は、図示しないが、中間転写ベルト４の一方向に開口部を備えたケーシングを有しており、該ケーシングの開口部には、ウレタンゴム等から成るクリーニングブレード１９の１つの端縁が取着されており、該クリーニングブレード１９の端縁の１つのエッジが中間転写ベルト４の駆動方向Ａに対してカウンター方向に当接しており、不図示の２次転写部位において発生した転写残トナーがクリーニングブレード１９のエッジ部位に達すると、該転写残トナーがクリーニングブレード１９によって掻き落とされる。
【０００９】
又、クリーニングブレード１９で掻き落とされて滞留している転写残トナーが中間転写ベルト４の回転によってクリーニングブレード１９のエッジ部に少量だけ再び供給されと、粉体である転写残トナーを介在することによる摩擦力の低下によって、クリーニングブレード１９のめくれが発生しにくくなり、これによって安定した良好なクリーニング性能を得ることができる。尚、クリーニングブレード１９の設定条件としては、ゴム材の厚さや先端ゴム部の長さ（自由長）、当接圧力等でトナー除去性能の向上とクリーニングブレードめくれの防止を図ることができる設定を選択した。
【００１０】
ところで、像担持体上の転写残トナーを更に良好にクリーニングするためにクリーニングブレードを複数の層で構成し、該クリーニングブレードの像担持体に当接する部位を硬質にする等、機能的に材質を選択することが提案されている（例えば、特許文献１参照）。
【００１１】
電子写真プロセス技術を用いた画像形成装置では、帯電等において放電現象を用いるため、感光体等の像担持体表面にオゾン生成物等の物質が固着する。そのため、クリーニングブレードと被クリーニング表面との摩擦力が増大し、クリーニングブレードがめくれたり、像担持体表面の固着物質が画像形成を乱すことによって画像不良が発生する。従って、クリーニングブレードは滑り易いものであることが望ましい。更には、クリーニング機能としては、像担持体表面に残留する転写残トナーを除去するだけでなく、被クリーニング表面を研磨する機能も必要である。そのため、クリーニングブレード表面は硬い方が好ましいが、硬い材質を広い領域に均一に当接させることは困難である。そのため、従来は高寿命にするために硬いクリーニングブレードを使用する場合は、該クリーニンブレードを被クリーニング表面に高精度に押し当てるための加圧方式が必要であった。
【００１２】
従来、ゴム材料の進化により表面層を硬く且つ低摩擦化する技術が提案されている（特許文献２参照）。これはクリーニングブレード材質の表面に潤滑剤粒子を含有した樹脂をコーティングするものである。これにより、ゴム材の柔らかさと追随性により安定した当接状態を簡易な構成で実現することができ、潤滑剤粒子によりクリーニングブレードがめくれることがなく、更に、硬い表面層のために像担持体表面を研磨する機能もある。
【００１３】
【特許文献１】特開昭５６−０５５９７９号公報
【特許文献２】特開平０４−２１２１９０号公報
【発明の開示】
【発明が解決しようとする課題】
【００１４】
しかしながら、上記のような構成においては、樹脂材料をクリーニングブレード表面に薄くコーティングしているため、長期の使用に際してコーティング部が磨耗したり、剥げる等してクリーニングブレードの寿命が制限されるという問題がある。
【００１５】
通常のポリウレタンゴムを使用するクリーニングブレードにおいては、摩擦係数は非常に高いものの、トナー等の微小粒子が介在することで、粉体を含んだ３体での摩擦係数は低いものとなっている。
【００１６】
しかしながら、粉体の供給は画像形成される像等によって変動するものであり、実際のクリーニングブレード当接部の挙動は不安定なものとなる。ポリウレタンゴムの場合は、耐磨耗性が強い理由としては、稀に生じる不安定な摩擦状態でブレードエッジが大きく引っ張られても破断しにくく、且つ、繰り返しても劣化しにくいことが挙げられる。
【００１７】
それに対して、一般に、樹脂材料等の硬い物質はゴム材料のような柔らかい物質に対して伸縮等の外力に対向する力は強いが、伸縮が可能な量は少ない。つまり、像担持体に当接する近傍のみを硬くした場合、クリーニングブレード全体としての弾性で生じる変形に対してクリーニングブレード表面近傍が耐えられず、クリーニングブレードが磨耗や脱落してブレード欠け等が発生し、クリーニング機能が損なわれる。
【００１８】
更に、クリーニングブレードとして一般的に用いられるポリウレタンゴムは繰り返しの変形に対して物性値が変化しない強い材質であるが、樹脂材料は一般的に繰り返しの変形に対して引張応力が低下したり、破断に至る伸び量が低下する等の劣化が見られる。
【００１９】
昨今、感光体の耐磨耗性が向上する等、像担持体の長寿命化が進む一方、クリーニングブレードに対する機能が多様化し、且つ、クリーニングブレード自体の長寿命化も必須となっている。
【００２０】
本発明は上記事情に鑑みてなされたもので、その目的とする処は、所望のクリーニング性能を確保しつつ、画像形成装置の長寿命化を図ることができるクリーニング装置を提供することにある。
【課題を解決するための手段】
【００２１】
上記目的を達成するため、本発明は、引張応力が異方性のある弾性体で構成されたクリーニングブレードを用いたクリーニング装置において、クリーニングブレードが被クリーニング部材との摺擦で受ける負荷とその負荷の方向に対する見掛けの引張応力から見積もられる変形量が、クリーニングブレードの被クリーニング部材への当接部近傍の切断時伸びより小さいことを特徴とする。
【００２２】
具体的には、引張応力が異方性のある板状の弾性体で構成されたクリーニングブレードを被クリーニング部材に対してカウンター方向に当接させるクリーニング装置において、クリーニングブレードの長手方向単位長さ当たりの当接圧を（Ｎ／ｍ）、被クリーニング部材の接線とクリーニングブレードとの当接角度をθ（°）、板状の弾性体の厚さ方向に対する５％伸張時の引張応力をＥ1（Ｎ／ｍ2）、板状の弾性体の平面方向に対する５％伸張時の引張応力をＥ2（Ｎ／ｍ2）、この設定条件でのクリーニングブレードと被クリーニング部材との摩擦係数をμ、クリーニングブレードと被クリーニング部材との当接幅をＭ（ｍ）、クリーニングブレードの当接部近傍の切断時伸びをＬ（％）としたとき、クリーニングブレードが被クリーニング部材との摺擦で受ける負荷の方向の実効的な引張応力Ｅ’を、
１／Ｅ’＝ｓｉｎ2θ／Ｅ1＋ｃｏｓ2θ／Ｅ2    …  （式１）
とし、
（μＮ／Ｍ）／Ｅ’＜Ｌ／１００            …  （式２）
を満たすことを特徴とする。
【００２３】
更に、クリーニングブレードの当接部位近傍の材質が、繰り返し伸張による破断が１０００回未満になる伸びをＬ’（％）としたとき、
（μＮ／Ｍ）／Ｅ’＜Ｌ’／１００          …  （式３）
を満たすことが望ましい。
【００２４】
引張弾性に異方性のあるクリーニングブレードのエッジの見掛けの引張応力Ｅ’を以下に説明する。
【００２５】
クリーニングブレード当接部近傍の変形は微小変形であり、更に表面近傍が自由端であることから、図３に示すようなトラス状の形状として近似した。図中のＡ，Ｂ，Ｃを支点とし、クリーニングブレード全体をＡ−Ｂ間の弾性体、Ａ−Ｃ間の弾性体と近似し、Ｂ点とＣ点は固定されているものとした。ここで、簡単のために、板状弾性体であるクリーニングブレードの内部は、長手単位長さ当りの加圧力Ｎを支えて被クリーニング面からの反力と釣り合っていて、トラスには垂直方向の力が掛からないと近似した。変形領域は、微小領域であることから、厚さ方向及び平面方向共に同じと仮定し、厚さ方向、平面方向それぞれ実際の当接幅Ｍと長手幅Ｏ（不図示）を断面積とする棒状の２部材が１点で固定され、固定点には図中水平方向に摩擦力Ｐ＝μＮが掛けられる。
【００２６】
厚さ方向に対応する部材の単位長手長さ当りの引張力をＴ1、平面方向に対応する部材の単位長手長さ当りの引張力をＴ2とすると、水平方向と垂直方向の力の釣り合いから次式が成立する。
【００２７】
Ｔ1ｓｉｎθ−Ｔ2ｃｏｓθ＝μＮ
Ｔ1ｃｏｓθ＋Ｔ2ｓｉｎθ＝０
従って、
Ｔ1＝μＮｓｉｎθ
Ｔ2＝−μＮｃｏｓθ
となる。ここで、Ｔ2は圧縮する方向となるが、微小変形であることから、引張応力と同等であるとした。
【００２８】
伸び量は、｛（単位面積当りの応力×長さ）÷引張応力｝から計算できるが、微小変形であるため、トラスの長さを厚さ方向、平面方向共に同じと仮定すると、歪み量Ｌ0は、
Ｌ0＝（μＮ／Ｍ）×（ｓｉｎ2θ／Ｅ1＋ｃｏｓ2θ／Ｅ2）
と近似することができる。
【００２９】
従って、見掛けの引張応力Ｅ’は、
１／Ｅ’＝ｓｉｎ2θ／Ｅ1＋ｃｏｓ2θ／Ｅ2
となる。
【００３０】
従って、クリーニングブレードのエッジ近傍の切断時伸びがＬ0を超えない弾性体を使用していれば、クリーニングブレードが破断することがない。
【００３１】
又、一般に弾性体は弾塑性体としての性質を有しており、疲労によって劣化することが知られている。特に、引張応力の高い樹脂に近い弾性体では、一定量の伸張を繰り返すと切断時伸びが低下する。繰り返し疲労を規定する物理量としては、所望の伸び量に対して、弾性体に繰り返し伸張を与えたときに、１０００回以下で破断する最大の伸び量とした。
【発明の効果】
【００３２】
本発明によれば、クリーニングブレードの耐久性能を維持したまま、弾性特性に異方性のあるクリーニングブレードを用いることができ、クリーニング装置の長寿命化を図ることができる。
【発明を実施するための最良の形態】
【００３３】
以下に本発明の実施の形態を添付図面に基づいて説明する。
【００３４】
図１は本発明に係るクリーニング装置を備える画像形成装置の概略断面図、図２は本発明に係るクリーニング装置のクリーニンクブレードの像担持体への当接状態を示す側断面図である。
【００３５】
（画像形成装置）
図１に示す画像形成装置は電子写真方式の複写機であって、不図示のコンピュータ等から送られた画像信号に従って記録媒体に画像を形成するものである。
【００３６】
即ち、画像形成装置の感光体１が帯電手段２によって一様に帯電され、これに画像信号に従ってレーザー発振器７が光線を照射する。すると、感光体２上の光線が照射された部分には静電潜像が形成され、この静電潜像は、現像装置８によって現像剤であるトナーにより現像されて可視像化される。
【００３７】
中間転写体４は、一次転写ローラ１２によって感光体１に押し当てられており、１次転写ローラ１２に転写電圧を印加されることによって、感光体１上に可視像化されたトナー像が中間転写体４上に転写される。
【００３８】
前記現像装置８においては、フルカラー画像を形成するために、現像ロータリー１６が回転して現像する色を変更した後に、感光体１上に同様に可視像化された第２色目のトナー像を中間転写ベルト４上に重ねて転写する。
【００３９】
以下、同様にして４色分のトナー像を重ねて中間転写体４上に転写した後、カセットより記録媒体であるシートを２次転写ローラ１０の部位に給紙し、４色分のトナー像をシート上に一括転写し、シート上に転写されたトナー像は、定着手段１８によって熱と圧力を加えられてシートに定着される。その後、感光体１上と中間転写体４上に残留したトナーは、それぞれ感光体クリーニング装置６と中間転写体クリーニング装置１７によって除去され、再び画像形成に供される。
【００４０】
ところで、本実施の形態では、感光体１として、チタニルフタロシアニン顔料を用いた電荷発生層とビスフェノールＺ型ポリカーボネートをバインダーとする電荷輸送層として塗布したＯＰＣ（有機光半導体）感光体を用いたが、Ａ−Ｓｉ感光体やＳｅ感光体を用いても良い。
【００４１】
又、本実施の形態で用いたトナーは、コアにエステル系ワックスを内包し、樹脂層にスチレン−ブチルアクリレート、表層にスチレンポリエステルを用いたものを使用した。現像剤としては、懸濁重合法によって形状係数ＳＦ−１の値が１００≦ＳＦ−１≦１４０であり、且つ、形状係数ＳＦ−２の値が１００≦ＳＦ−２≦１２０となるように作製した重合トナーと、重合法により作製した樹脂磁性キャリアとの混合物を２成分系現像剤として使用した。
【００４２】
本実施ので用いた中間転写体４には、厚さ１００μｍのポリイミド樹脂シート（体積抵抗率１０9〜１０10Ωｃｍ程度）のベルト体を使用した。
【００４３】
（クリーニング装置）
前記中間転写体クリーニング装置１７は、中間転写体４側に開口部を有する不図示のケーシングを備えており、このケーシングの開口部に図２に示すクリーニングブレード１９を支持部材によって取り付けて構成されている。クリーニングブレード１９は、一辺のエッジを中間転写体４に当接しており、２次転写ローラ１０においてシートに転写し切れなかった残留トナーがエッジに達するとこれにより掻き落とされる。ケーシングの下部にはすくいシートが取り付けてられており、掻き落とされたトナーは、ケーシング内に落下し、すくいシートによって中間転写体４に大量に逆流するのが防がれている。
【００４４】
ケーシング内には残留トナーを排出するための搬送手段が配置されており、ケーシング内に落下した残留トナーは、図の紙面垂直方向に搬送されてクリーニング装置１７から排出される。このように構成することによって、残留トナーによってケーシング内が詰まることがない。
【実施例１】
【００４５】
本実施例に用いたクリーニングブレードは図２に示したような構成とした。このクリーニングブレードは、２種類の材質から構成される厚み方向に物性値の異なる２種類のポリウレタンゴムを積層して２ｍｍ厚の板状に成形されている。
【００４６】
クリーニングブレードの当接部位のゴム材質について、エッジ部近傍の厚さ方向と平面方向について、ＪＩＳの加硫ゴムの引張試験方法（Ｋ−６２５１）に従った形状に相似形で作製し直した試料で測定した５％伸張時の引張応力は、厚さ方向が１．０×１０6Ｎ／ｍ2、平面方向が１．０×１０7Ｎ／ｍ2であった。又、当接部近傍のゴム材質の切断時伸びは１８％であった。
【００４７】
又、繰り返し伸張に対する切断時伸びの測定法は、ＪＩＳによる切断時伸びを同じ形状（ＪＩＳ１号型）の試料を作製し、引張試験機によって所望の引っ張り量を繰り返し与えた。引っ張り速度は２０ｍ／ｓｅｃで、繰り返し引っ張り力を加えた。
【００４８】
クリーニングブレードにＪＩＳによる切断時伸びと同じ伸び量を与えれば１回で切断時するが、それより小さい伸び量では１回では破断しないが、繰り返し伸びを与えると何れ破断する。１０００回以内に破断する伸び量の最小の伸び量を、繰り返し伸張による切断時伸びＬ’と定義する。本実施例で使用したクリーニングブレードの当接部近傍のゴム材料の繰り返し伸張による切断時伸びＬ’は１０％であった。
【００４９】
この板状のポリウレタンゴム性のクリーニングブレードを当接角度θが３０°となるように中間転写体にカウンター方向に当接せしめた。このときの当接圧は３Ｎ／ｍとした。クリーニングブレードの当接圧が低ければ引張力も低下するが、必要な最低当接圧はクリーニング性能によって決定されるものである。
【００５０】
クリーニングブレードと中間転写体との摩擦係数は、新東科学製のトライボギアＴＹＰＥ１４ＤＲでトナーを介在させた状態で測定したところ、０．４であった。
【００５１】
又、クリーニングブレードと中間転写体との静止時の実当接幅は、ガラス板に同様の当接状態として、裏面より光学顕微鏡により測定したところ、５μｍであった。
【００５２】
従って、クリーニングブレードが中間転写体との摩擦で引っ張られる方向の見掛けの引張応力は（式１）より３．１×１０6Ｎ／ｍ2となるので、見掛けの歪みＬ0は（式２）より７．７％となるため、（式３）を満たすことが分かる。
【００５３】
これらの構成を持つように改造した複写機「商品名：ＮＰ４０５０（キヤノン社製）」を用いた。１０００００枚通紙耐久後のクリーニング性能で評価したが、良好なクリーニング性能を得ることができた。
【００５４】
＜比較例１＞
実施例１で用いたクリーニングブレードの代わりに、厚さ方向の引張応力が１．０×１０7Ｎ／ｍ2で平面方向の引張応力が１．０×１０6Ｎ／ｍ2、切断時伸びが６％となるようにポリウレタンを積層した板状弾性体で構成されたクリーニングブレードを使用した。クリーニングブレードとしては、２ｍｍ厚の板とし、同様の当接条件で当接させた。
【００５５】
このクリーニングブレードを使用したときの摩擦係数は０．４であり、必要な当接圧は３Ｎであり、静止時の接触幅は５μｍであった。
【００５６】
従って、クリーニングブレードが中間転写体との摩擦で引っ張られる方向の見掛けの引張応力は（式１）より１．３×１０6Ｎ／ｍ2となるため、見掛けの歪みＬ0は（式２）より１８％となるため、（式３）を満たさないことが分かる。
【００５７】
本比較例に係るクリーニングブレードを複写機に用いたところ、数１０枚の通紙でクリーニングブレードの当接部が欠けてしまい、クリーニングできない状況となった。これは、（式３）の条件を満たさないために、クリーニングブレードの当接エッジ近傍が局所的に変形し、破断に耐えられないためである。
【００５８】
＜比較例２＞
実施例１で用いたクリーニングブレードの代わりに、当接面側の材質がフッ素ゴムを積層した板状弾性体を用いた。その厚さ方向の引張応力は０．５×１０6Ｎ／ｍ2で平面方向の引張応力は１．０×１０7Ｎ／ｍ2であり、切断時伸びは３０％であった。
【００５９】
本クリーニングブレードの当接近傍を相似形に拡大した複層弾性体を作製し、繰り返し伸張時の切断時伸びを測定したところ、５％となった。本クリーニングブレードを、実施例１と同じ当接角でカウンター方向で当接させた。このクリーニングブレードを使用したときの摩擦係数は０．１であった。必要な当接圧は、フッ素ゴムの表面粗さが大きく充分クリーニングする５Ｎ／ｍとした。そのときの静止時の接触幅は５．５μｍであった。
【００６０】
従って、クリーニングブレードが中間転写体との摩擦で引っ張られる方向の見掛けの引張応力は（式１）より１．７×１０6Ｎ／ｍ2となるため、見掛けの歪みＬ0は（式２）より５．３％となり、（式３）を満たさないことが分かる。
【００６１】
本比較例に係るクリーニングブレードを複写機に用いたところ、１００００枚までの通紙では良好であったが、それ以降でクリーニングブレードの当接部が欠けてしまい、クリーニングできない状況となった。これは、切断時伸びに対する（式２）は満たすため、短期的には良好なクリーニング性能が得られるが、繰り返し伸張時の切断時伸びに対する（式３）を満たさないために、耐久性が劣ることによる。
【実施例２】
【００６２】
本実施例に用いたクリーニングブレードは図３に示したような構成とした。このクリーニングブレードの当接部近傍のゴム材質として実施例１と同じものを用い、図４に示した、当接部近傍の厚み方向寸法ａを０．５ｍｍ、当接面方向寸法ｂを１．０ｍｍ、クリーニングブレードの厚さｔを２ｍｍとした。
【００６３】
クリーニングブレードが被クリーニング面より受ける力の影響は当接ニップ近傍に限られるため、クリーニング機能としては当接ニップ近傍に限定することは有効である。
【００６４】
本実施例では、クリーニングブレードの引張応力は、厚さ方向が１．０×１０6Ｎ／ｍ2、平面方向が５．０×１０6Ｎ／ｍ2であった。又、当接部近傍のゴム材質の切断時伸びは１８％であった。又、本実施例で使用したクリーニングブレードの当接部近傍のゴム材料の繰り返し伸張による切断時伸びＬ’は１２％であった。
【００６５】
このクリーニングブレードを使用したときの摩擦係数は０．４であり、必要な当接圧は３Ｎであり、静止時の接触幅は５μｍであった。
【００６６】
クリーニングブレードの平面方向の引張応力が実施例１に対して低下したものの、見掛けの弾性率Ｅ’は２．５×１０6Ｎ／ｍ2となり、見掛けの歪みＬ0は（式２）より９．６％となり、（式３）を満たすことが分かる。
【００６７】
これらの構成を持つように改造した複写機「商品名：ＮＰ４０５０（キヤノン社製）」を用いた。１０００００枚通紙耐久後のクリーニング性能で評価したが、良好なクリーニング性能を得ることができた。
【産業上の利用可能性】
【００６８】
本発明は、引張応力が異方性のある弾性体で構成されたクリーニングブレードを用いたクリーニング装置に対して有用である。
【図面の簡単な説明】
【００６９】
【図１】本発明に係るクリーニング装置を備える画像形成装置の概略断面である。
【図２】クリーニングブレードの像担持体への当接状態を説明するための側断面図である。
【図３】クリーニングブレードに掛かる引張力を説明するための模式的側断面図である
【図４】本発明の実施例２を説明するためのクリーニングブレードの模式的側断面図である。
【符号の説明】
【００７０】
１    像担持体
２    帯電手段
４    中間転写体
６    感光体クリーニング装置
７    露光装置
８    現像装置
１７  中間転写体クリーニング装置
１９  クリーニングブレード
【図１】
2005292324.tif 000003
【図２】
2005292324.tif 000004
【図３】
2005292324.tif 000005
【図４】
2005292324.tif 000006